(57)【要約】【課題】普通の雨傘のハンドルとして使用することができる上、音響、ライト、モバイルバッテリーとしても使用することができる雨傘音響ライトを提供する。【解決手段】雨傘音響ライトは、傘柄２００に取付けられ、外カバー１０と、外カバー１０内に取付けられた音響装置２０及び照明装置３０とを備える。外カバー１０の内部には、収容空間が設けられる。音響装置２０は、収容空間内に取付けられるとともに、電池２１、配線基板２２及びスピーカー２３を含む。スピーカー２３は、スピーカーフレーム２４に嵌設される。スピーカーフレーム２４は、外カバー１０の収容空間内に固設される。照明装置３０は、固定ベース３１、光源３２、リフレクタ、出光板及びパッキンを含む。【選択図】図４
0003227504.tif 000002
【実用新案登録請求の範囲】
【請求項１】
傘柄に取付けられる、雨傘音響ライトであって、
外カバーと、前記外カバー内に取付けられた音響装置及び照明装置と、を備え、
前記外カバーの内部には、収容空間が設けられ、
前記音響装置は、前記収容空間内に取付けられるとともに、電池、配線基板及びスピーカーを含み、
前記スピーカーは、スピーカーフレームに嵌設され、
前記スピーカーフレームは、前記外カバーの前記収容空間内に固設され、
前記照明装置は、固定ベース、光源、リフレクタ、出光板及びパッキンを含み、
前記固定ベースは、第１の凸柱が前記スピーカーフレームの第２の貫通孔下に対応して当接され、前記スピーカーフレーム下に固設され、前記固定ベース上には、チャンバが形成され、前記チャンバ内には、前記出光板、前記パッキン及び前記リフレクタが順次嵌設され、前記固定ベースの第２の凸柱上には前記光源が配設されることを特徴とする、雨傘音響ライト。
【請求項２】
前記収容空間内には、組立孔が形成され、
前記スピーカーフレーム上には、第１の貫通孔が形成され、
前記第１の貫通孔には、ねじが下から上方へかけて挿通され、前記外カバーの前記組立孔に螺合されることを特徴とする請求項１に記載の雨傘音響ライト。
【請求項３】
前記スピーカーフレームの底端には、ストッパ縁が設けられ、
前記ストッパ縁の内径は、前記スピーカーの底部の外径より小さいことを特徴とする請求項１に記載の雨傘音響ライト。
【請求項４】
前記スピーカーフレーム上には、第２の貫通孔が形成され、
前記固定ベースの中空状の前記第１の凸柱は、前記スピーカーフレームの前記第２の貫通孔下に対応して当接され、前記第１の凸柱内から前記第２の貫通孔に向かってねじが螺合され、前記スピーカーフレーム下に前記固定ベースが固設されることを特徴とする請求項１に記載の雨傘音響ライト。
【請求項５】
前記照明装置は、パッドを有し、
前記パッドは、前記外カバーの底端に嵌着され、前記パッド上には、中空槽が形成され、前記固定ベース上には、複数の出音孔が形成され、
前記出音孔は、前記パッドの前記中空槽に対応して設けられることを特徴とする請求項１に記載の雨傘音響ライト。
【請求項６】
前記出光板は、前記パッキン内に固定されることを特徴とする請求項１に記載の雨傘音響ライト。
【請求項７】
前記固定ベースの中空状の前記第２の凸柱上には、前記光源が配設され、
前記光源のねじ孔から前記第２の凸柱に向かってねじが螺合されることを特徴とする請求項１に記載の雨傘音響ライト。
【請求項８】
前記外カバーの外表面の頂面上には、取付部が設けられ、
前記取付部には、前記傘柄の端部に固設された組立部材が取付けられ、
前記組立部材の外径には、雄ねじ部が設けられ、
前記取付部の頂端面上には、ねじ孔が形成され、
前記ねじ孔内には、雌ねじが設けられ、
前記取付部の前記ねじ孔には、前記傘柄の前記組立部材の前記雄ねじ部が螺合されることを特徴とする請求項１に記載の雨傘音響ライト。
【考案の詳細な説明】
【技術分野】
【０００１】
本考案は、雨傘音響ライトに関するものである。
【背景技術】
【０００２】
雨傘は日常生活における必需品であり、特に、外出したり旅行したりする人にとって雨傘は特に重要であった。しかし、従来の雨傘は、太陽光に晒されたり雨に濡れたりすることを防ぐ機能しか備えていなかった。また、使用者が傘をさして歩く際、以下の問題が生じる虞があった。例えば、歩く距離が長くて音楽を聴いてリフレッシュしたい場合や、バッテリー不足により、臨時に携帯電話を充電しなければならない場合や、雨が降っている夜間の時間帯に歩くとき、路面がよく見えず、誤って水たまりに入ってしまったり、躓いてしまったりする問題があった。上述した問題を解決するためには、例えば、携帯電話、ＭＰ３プレーヤー、音響などの音楽プレーヤー、モバイルバッテリー、懐中電灯など、独立した装置が必要であった。しかし、上述した装置は、それぞれ独立していたため、保管するのに一定の空間が必要であり、携帯は容易でなかった。
【考案の概要】
【課題を解決するための手段】
【０００３】
上記課題を解決するために、本考案の第１の形態によれば、傘柄に取付けられる、雨傘音響ライトであって、外カバーと、前記外カバー内に取付けられた音響装置及び照明装置と、を備え、前記外カバーの内部には、収容空間が設けられ、前記音響装置は、前記収容空間内に取付けられるとともに、電池、配線基板及びスピーカーを含み、前記スピーカーは、スピーカーフレームに嵌設され、前記スピーカーフレームは、前記外カバーの前記収容空間内に固設され、前記照明装置は、固定ベース、光源、リフレクタ、出光板及びパッキンを含み、前記固定ベースは、第１の凸柱が前記スピーカーフレームの第２の貫通孔下に対応して当接され、前記スピーカーフレーム下に固設され、前記固定ベース上には、チャンバが形成され、前記チャンバ内には、前記出光板、前記パッキン及び前記リフレクタが順次嵌設され、前記固定ベースの第２の凸柱上には前記光源が配設されることを特徴とする、雨傘音響ライトを提供する。
【図面の簡単な説明】
【０００４】
【図１】本考案の一実施形態に係る雨傘音響ライトの応用例を示す斜視図である。
【図２】本考案の一実施形態に係る雨傘音響ライトを示す斜視図である。
【図３】本考案の一実施形態に係る雨傘音響ライトを示す別の角度からの斜視図である。
【図４】本考案の一実施形態に係る雨傘音響ライトを示す分解斜視図（１）である。
【図５】本考案の一実施形態に係る雨傘音響ライトを示す分解斜視図（２）である。
【図６】本考案の一実施形態に係る雨傘音響ライトを示す組立断面図である。
【考案を実施するための形態】
【０００５】
図１〜図６を参照する。図１〜図６に示すように、本考案の一実施形態に係る雨傘音響ライト１００は、雨傘の傘柄２００の端部に取付けられる。上述した雨傘音響ライト１００は、外カバー１０と、外カバー１０内に取付けられた音響装置２０及び照明装置３０と、を含む。上述した外カバー１０の外表面の頂面上には、取付部１１が設けられる。上述した取付部１１は、傘柄２００の端部に固設された組立部材２０１上に取付けられる。組立部材２０１の外径には、雄ねじ部２０２が設けられる。本実施形態の取付部１１の頂端面上には、ねじ孔１１１が形成される。ねじ孔１１１内には、雌ねじが設けられる。上述した取付部１１のねじ孔には、傘柄２００の組立部材２０１の雄ねじ部２０２が螺合される。
【０００６】
上述した外カバー１０の内部には、収容空間１２が設けられる。収容空間１２内には、組立孔１３が形成されている。
【０００７】
上述した音響装置２０は、収容空間１２内に取付けられるとともに、電池２１、配線基板２２及びスピーカー２３を含む。上述した電池２１は、配線基板２２及びスピーカー２３に必要な電気を供給する。上述した配線基板２２は、音声源を制御する。
【０００８】
上述したスピーカー２３は、スピーカーフレーム２４に嵌設される。上述したスピーカーフレーム２４の底端には、ストッパ縁２４１が設けられる。上述したストッパ縁２４１の内径は、スピーカー２３の底部の外径より小さい。上述したスピーカーフレーム２４上には、第１の貫通孔２４２が形成される。第１の貫通孔２４２には、ねじが下から上方へかけて挿通され、外カバー１０の収容空間１２に螺合され、スピーカーフレーム２４が外カバー１０の収容空間１２内に固設される。上述したスピーカーフレーム２４上には、第２の貫通孔２４３が形成される。
【０００９】
上述した照明装置３０は、固定ベース３１、光源３２、リフレクタ３３、出光板３４、パッキン３５及びパッド３６を含む。上述した固定ベース３１の中空状の第１の凸柱３１１は、スピーカーフレーム２４の第２の貫通孔２４３下に当接され、第１の凸柱３１１内から第２の貫通孔２４３に向かってねじが螺合され、スピーカーフレーム２４下に固定ベース３１が固設される。上述した固定ベース３１上には、チャンバ３１２が形成され、チャンバ３１２内には、出光板３４、パッキン３５及びリフレクタ３３が順次嵌設される。上述した出光板３４は、パッキン３５内に固定され、固定ベース３１は、中空状の第２の凸柱３１３上に光源３２が配設され、光源３２のねじ孔３２１から第２の凸柱３１３に向かってねじが螺合されるため、光源３２の光がリフレクタ３３、出光板３４及び固定ベース３１のチャンバ３１２に向かって外方に拡散され、照明機能が得られる。上述した固定ベース３１上には、複数の出音孔３１４が形成される。上述したパッド３６は、外カバー１０の底端に嵌着される。パッド３６上には、出音孔３１４に対向した箇所に中空槽３６１が形成され、スピーカー２３の音声が出音孔３１４、中空槽３６１を介して外方に拡散し、音響機能が得られる。
【００１０】
また、上述した外カバー１０上には、コントロールキー及び充電インタフェースが設けられる。上述したコントロールキー及び充電インタフェース上には、防水プラグが設けられる。上述したコントロールキーは、ファンクションキー及びロックキーを含む。ファンクションキーは、音響装置及び照明装置のオン、オフ、明るさ、音量、音声切換などの機能を制御する。ロックキーは、その他機能をロックするキーとして用い、手で持つときに別のファンクションキーに誤って触れてしまうことを防ぐ。
【００１１】
上述したことから分かるように、本考案の雨傘音響ライトは、傘柄上に音響ライトが配設されているため、普通の雨傘のハンドルとして使用することができる上、音響、ライト、モバイルバッテリーとしても使用することができるため、生活の利便性及び面白みを高めることができる。
【符号の説明】
【００１２】
１０  外カバー
１１  取付部
１２  収容空間
１３  組立孔
２０  音響装置
２１  電池
２２  配線基板
２３  スピーカー
２４  スピーカーフレーム
３０  照明装置
３１  固定ベース
３２  光源
３３  リフレクタ
３４  出光板
３５  パッキン
３６  パッド
１００  雨傘音響ライト
１１１  ねじ孔
２００  傘柄
２０１  組立部材
２０２  雄ねじ部
２４１  ストッパ縁
２４２  第１の貫通孔
２４３  第２の貫通孔
３１１  第１の凸柱
３１２  チャンバ
３１３  第２の凸柱
３１４  出音孔
３２１  ねじ孔
３６１  中空槽
【図１】
0003227504.tif 000003
【図２】
0003227504.tif 000004
【図３】
0003227504.tif 000005
【図４】
0003227504.tif 000006
【図５】
0003227504.tif 000007
【図６】
0003227504.tif 000008